(57)【要約】【課題】ハウリングを防止することができる音声出力装置を提供する。【解決手段】使用者の少なくとも一方の耳の近傍で音声を出力する音声出力部４，６と、前記音声出力部を近づけた耳の状態に基づいて、前記音声出力部から出力される音声の音量及び音質の少なくとも一方を変更する音声変更部２０とを備える。【選択図】  図３
2011018984.tif 000002
【特許請求の範囲】
【請求項１】
使用者の少なくとも一方の耳の近傍で音声を出力する音声出力部と、
前記音声出力部を近づけた耳の状態に基づいて、前記音声出力部から出力される音声の音量及び音質の少なくとも一方を変更する音声変更部と
を備えることを特徴とする音声出力装置。
【請求項２】
使用者の少なくとも一方の耳の近傍で音声を出力する音声出力部と、
外部機器から有線若しくは無線を介して音声を入力する入力部と、
前記音声出力部を近づけた耳の状態に基づいて、前記音声出力部から出力される音声の音量及び音質の少なくとも一方を変更するように、前記外部機器に対して、有線若しくは無線を介して制御信号を送信する制御信号送信部と
を備えることを特徴とする音声出力装置。
【請求項３】
使用者の耳に補聴器が装着されているか否かを検出する検出部を備え、
前記検出部により前記補聴器を検出した際に、前記音声出力部から出力される音声を変更する、または前記音声出力部から出力される音声を変更するように前記外部機器に対して前記制御信号を送信することを特徴とする請求項１または２記載の音声出力装置。
【請求項４】
前記補聴器の特性を入力する特性入力部を備え、
前記特性入力部により入力された特性に基づいて、前記音声出力部より出力される音声が決定されることを特徴とする請求項３記載の音声出力装置。
【請求項５】
使用者の耳の近傍から発せられる音声を取得する指向性を有する音声取得部を備え、
前記音声取得部から取得された音声に基づいて、前記音声出力部より出力される音声を変更することを特徴とする請求項１〜４の何れか一項に記載の音声出力装置。
【発明の詳細な説明】
【技術分野】
【０００１】
本発明は、音声出力装置に関するものである。
【背景技術】
【０００２】
従来、難聴者でもハイファイステレオにて音声を聴くことができる補聴装置に関し、ハウリング対策のためヘッドホンをオープンエア型にする技術が存在する (例えば、特許文献１参照)。
【先行技術文献】
【特許文献】
【０００３】
【特許文献１】特開平５−１３０６９６号公報
【発明の概要】
【発明が解決しようとする課題】
【０００４】
しかしながら上述のヘッドホンは、オープンエア型であることからヘッドホンから音が漏れ公共の環境において使用した際に周囲へ迷惑をかけるおそれがある。また、近年の補聴器の性能向上により、単にオープンエア型のヘッドホンを使用しただけでは、ハウリングを防止できなくなっている。
【０００５】
本発明の目的は、ハウリングを防止することができる音声出力装置を提供することである。
【課題を解決するための手段】
【０００６】
本発明の音声出力装置は、使用者の少なくとも一方の耳の近傍で音声を出力する音声出力部を有する音声出力部と、前記音声出力部を近づけた耳の状態に基づいて、前記音声出力部から出力される音声の音量及び音質の少なくとも一方を変更する音声変更部と
を備えることを特徴とする。
【０００７】
また、本発明の音声出力装置は、使用者の少なくとも一方の耳の近傍で音声を出力する音声出力部を有する音声出力部と、外部機器から有線若しくは無線を介して音声を入力する入力部と、前記音声出力部を近づけた耳の状態に基づいて、前記音声出力部から出力される音声の音量及び音質の少なくとも一方を変更するように、前記外部機器に対して、有線若しくは無線を介して制御信号を送信する制御信号送信部とを備えることを特徴とする。
【発明の効果】
【０００８】
本発明の音声出力装置によれば、ハウリングを防止することができる。
【図面の簡単な説明】
【０００９】
【図１】実施の形態に係るヘッドホンの外観を示す正面図である。
【図２】実施の形態に係るヘッドホンの図１におけるＡ矢視図である。
【図３】実施の形態に係るヘッドホンのシステムブロック図である。
【発明を実施するための形態】
【００１０】
以下、図面を参照して本発明の実施の形態に係るヘッドホンについて説明する。本実施の形態ではヘッドホンを示しているが、それに限らない。耳の近くにスピーカを配置する用途、例えば電話やヘッドマウントディスプレイ等にも適用することができる。図１は、実施の形態に係るヘッドホンを正面から見た図、図２は、実施の形態に係るヘッドホンの図１におけるＡ矢視図である。ヘッドホン２は音声出力部４及び音声出力部６を有し、これらは連結部８で連結されている。音声出力部４及び音声出力部６には、それぞれスピーカ（ＳＲ）及びマイク（Ｒ）２４、スピーカ（ＳＬ）及びマイク（Ｌ）２６（図３参照）が収納されている。ここで、ヘッドホン２を使用者１０の頭部に装着する場合には、音声出力部４及び音声出力部６で使用者１０の両耳を挟むようにして頭部に固定する。また、使用者１０の耳に補聴器１２が装着されているか否かを検出するため、音声出力部４及び音声出力部６の内側中央部に、それぞれ補聴器１２との接触を検出する補聴器検出ＳＷ（Ｒ）１４及び補聴器検出ＳＷ（Ｌ）１６が設けられている。
【００１１】
図３は、実施の形態に係るヘッドホンのシステム構成を示すブロック図である。ヘッドホン２はコントローラ２０を備え、コントローラ２０には、音声をＡ／Ｄ変換するＡ／Ｄ変換部２２を介して、音声を入力するマイク（Ｒ）２４及びマイク（Ｌ）２６が接続されている。また、コントローラ２０から出力される音声信号をＤ／Ａ変換するＤ／Ａ変換部２８を介して、音声を出力するスピーカＳＲ及びスピーカＳＬが接続されている。また、補聴器検出ＳＷ（Ｒ）１４、補聴器検出ＳＷ（Ｌ）１６、音声を記憶するメモリ３０、ヘッドホン２の設定等を変更するための操作スイッチ３１が接続されている。また、音声を出力する外部ＡＶ機器３２が入出力制御部３４を介して接続されている。また、ヘッドホン２には、ヘッドホン２を構成する各部へ電力を供給する電池３６が装着されている。
【００１２】
次に、実施の形態に係るヘッドホン２の動作について説明する。使用者がヘッドホン２を装着し、ヘッドホン２の図示しない電源をオンにするとコントローラ２０が起動し、補聴器検出ＳＷ（Ｒ）１４及び補聴器検出ＳＷ（Ｌ）１６により、使用者１０の耳に補聴器１２が装着されているか否かを検出する。また、コントローラ２０は外部ＡＶ機器３２から出力される音声信号を入出力制御部３４を介して取得し、Ｄ／Ａ変換部２８を介して音声をスピーカＳＲ及びスピーカＳＬから出力する。
【００１３】
ここで使用者１０の一方の耳、例えば左耳に補聴器１２が装着されている場合には、補聴器１２が検出された側のマイク（Ｌ）２６により補聴器１２から漏れる音声及びスピーカＳＬから出力される音声を取得する。そして、取得した音声は、Ａ／Ｄ変換部２２においてＡ／Ｄ変換され音声信号としてコントローラ２０に入力される。コントローラ２０においては、外部ＡＶ機器３２から出力された音声信号と、マイク（Ｌ）２６により取得されＡ／Ｄ変換部２２においてＡ／Ｄ変換され音声信号との差分に基づいて、スピーカＳＬから音声出力を行うためにＤ／Ａ変換部２８に対して出力する音声信号の位相及び振幅を調整する。即ち、補聴器１２からの漏れ音を打ち消すことができるように音声信号を調整する。これによりスピーカＳＬから出力される音声の音量及び音質が変更されて補聴器１２からの漏れ音を打ち消し、補聴器１２におけるハウリングの発生を防止することができる。
【００１４】
また、補聴器１２からの漏れ音を打ち消すための音声信号の調整を外部ＡＶ機器３２において行うようにしてもよい。この場合には、コントローラ２０は、外部ＡＶ機器３２から出力された音声信号と、マイク（Ｌ）２６により取得されＡ／Ｄ変換部２２においてＡ／Ｄ変換され音声信号との差分に基づいて、補聴器１２からの漏れ音を打ち消すために、外部ＡＶ機器３２対して音声信号の変更を指示する制御信号の出力を行う。外部ＡＶ機器３２は、ヘッドホン２からの制御信号に基づいて、ヘッドホン２に対して出力する音声信号の中でスピーカＳＬから音声出力を行うための音声信号の位相及び振幅を調整する。これによりスピーカＳＬから出力される音声の音量及び音質が変更されて補聴器１２からの漏れ音を打ち消し、補聴器１２におけるハウリングの発生を防止することができる。
【００１５】
また、ヘッドホン２に外部ＡＶ機器３２が接続されていない場合、または外部ＡＶ機器３２の電源がオフされている場合においては、マイク（Ｌ）２６により補聴器１２から漏れる音声を取得する。そして、取得した音声をＡ／Ｄ変換部２２においてＡ／Ｄ変換し音声信号としてコントローラ２０に入力する。コントローラ２０においては、補聴器１２からの漏れ音を打ち消すための音声信号を生成しスピーカＳＬから音声の出力を行う。これにより補聴器１２からの漏れ音を打ち消し、補聴器１２におけるハウリングの発生を防止することができる。
【００１６】
また、使用者１０の左右の耳に補聴器１２が装着されていることを検出した場合には、マイク（Ｒ）２４及びマイク（Ｌ）２６により補聴器１２から漏れる音声を入力し、上述と同様の処理が実施される。そして、スピーカＳＲ及びスピーカＳＬから、補聴器１２におけるハウリングの発生を防止するための音声を出力する。
【００１７】
この実施の形態に係るヘッドホンによれば、補聴器から漏れる音声を打ち消すために、音声出力部から出力される音声の音量及び音質を変更する。従って、補聴器におけるハウリングの発生を防止しつつ音漏れを防止することができる。
【００１８】
なお、上述の実施の形態においては、補聴器１２が装着されていることを検出すると、スピーカＳＲ及びスピーカＳＬから出力する音声の音量及び音質を変更しているが、ハウリングの発生を防止することができる場合には、出力する音声の音量または音質を変更するようにしてもよい。
【００１９】
また、上述の実施の形態においては、外部ＡＶ機器３２と入出力制御部３４とをケーブルで接続しているが、無線通信により接続してもよい。
【００２０】
また、上述の実施の形態において、スピーカＳＲ及びスピーカＳＬから出力する音声は、補聴器１２に入力される音声と補聴器１２から鼓膜に対して出力される音声との関係である補聴器１２の特性によって決定してもよい。この場合には、操作スイッチ３１の操作により補聴器１２の特性を入力し、入力された補聴器１２の特性に基づいて、スピーカＳＲ及びスピーカＳＬから出力される音声を決定する。
【００２１】
また、上述の実施の形態においては、ヘッドホン２について説明したが、更に電話機及びヘッドマウントディスプレイ等にも本発明を用いることができる。
【００２２】
また、上述の実施の形態においては、ヘッドホン２の左右それぞれにスピーカ、マイク、補聴器検出スイッチが設けられているが、左右どちらか一方に設けてもよい。
【００２３】
また、上述の実施の形態においては、補聴器１２を検出するために、補聴器１２との接触を検出する補聴器検出ＳＷ（Ｒ）１４及び補聴器検出ＳＷ（Ｌ）１６を使用しているが、非接触式の変位センサを使用してもよい。これによりヘッドホンが動いた場合における摩擦音の発生を防止することができる。
【００２４】
また、上述の実施の形態において、ヘッドホン２と補聴器１２との相性が良くハウリングが発生しない場合には、補聴器１２の音質特性を補正するようにスピーカＳＲ及びスピーカＳＬから出力される音声を制御してもよい。これにより、音質劣化を最低限にして良好な音声を聞くことができる。
【００２５】
また、上述の実施の形態において、使用者１０が補聴器１２を装着していない場合には、通常のノイズキャンセルヘッドホンとして使用してもよい。即ち、マイク（Ｒ）２４及びマイク（Ｌ）２６をヘッドホン２の外部へ露出させるための操作部材を設け、この操作部材の操作によりヘッドホン２の外部へマイク（Ｒ）２４及びマイク（Ｌ）２６露出させ、入力されたヘッドホン２の外部の音声に基づいて、ノイズキャンセルを行うようにしてもよい。
【００２６】
また、上述の実施の形態において、ヘッドホン２により外部ＡＶ機器３２から出力される音声信号に基づく音声の出力を行っているが、メモリ３０に記憶されている音声信号に基づく音声の出力を行うようにしてもよい。
【００２７】
また、上述の実施の形態において、ヘッドホン２に設けられているマイクは、高い指向性を有し、補聴器からの漏れ音のみを取得できることが好ましい。このようなマイクを用いることにより、より確実に補聴器からの漏れ音を打ち消す音声の出力を行うことができる。
【符号の説明】
【００２８】
２…ヘッドホン、４，６…音声出力部、８…連結部、１０…使用者、１２…補聴器、１４…補聴器検出ＳＷ（Ｒ）、１６…補聴器検出ＳＷ（Ｌ）、２０…コントローラ、２４…マイク（Ｒ）、２６…マイク（Ｌ）、３１…操作スイッチ、３２…外部ＡＶ機器、３４…入出力制御部、ＳＲ，ＳＬ…スピーカ。
【図１】
2011018984.tif 000003
【図２】
2011018984.tif 000004
【図３】
2011018984.tif 000005